(57)【要約】【目的】  内部空間を調整可能なキャビネットを提供する。【構成】  キャビネット１は、外殻１、横定位板２、前区切り柱３、後区切り柱４、およびＴ型支え片５を有する。外殻１は、断面が矩形である筒状に形成され、前支え柱１１および後支え柱１２を有する。横定位板２は、断面が矩形である筒状に形成され、短手方向に形成されるはめ溝２１を長手方向に複数有する。前区切り柱３および後区切り柱４は、下端部に横定位板の長手方向に形成される貫通孔３１、４１を有する。Ｔ型支え片５は、前区切り柱３を外殻１の前側に位置する横定位板２に固定し、後区切り柱４を外殻１の後側に位置する横定位板２に固定する。【選択図】  図１
0003176360.tif 000002
【実用新案登録請求の範囲】
【請求項１】
断面が矩形である筒状に形成され、左側壁および右側壁の内表面に左右対称に設置されている二つの前支え柱、ならびに、前記内表面に左右対称に設置されている二つの後支え柱を有する外殻と、
断面が矩形である筒状に形成され、短手方向に形成されるはめ溝を長手方向に複数有し、前記外殻の上側壁、および、前記外殻の下側壁に相互対向するよう設けられ、複数のねじ孔を有する四本の横定位板と、
断面が矩形である筒状に形成され、上端部が前記外殻の上側壁の前側に設けられる前記横定位板の前記はめ溝に嵌め込まれ、下端部が前記外殻の下側壁の前側に設けられる前記横定位板の前記はめ溝に嵌め込まれ、前記下端部に前記横定位板の長手方向に形成される貫通孔を有する複数の前区切り柱と、
断面が矩形である筒状に形成され、上端部が前記外殻の上側壁の後側に設けられる前記横定位板の前記はめ溝に嵌め込まれ、下端部が前記外殻の下側壁の後側に設けられる前記横定位板の前記はめ溝に嵌め込まれ、前記下端部に前記横定位板の長手方向に形成される貫通孔を有する複数の後区切り柱と、
前記前区切り柱の前記貫通孔および前記後区切り柱の前記貫通孔の中にさしこまれ、前記前区切り柱を前記外殻の前側に位置する前記横定位板に固定し、前記後区切り柱を前記外殻の後側に位置する前記横定位板に固定する複数のＴ型支え片と、を備えるキャビネット。
【請求項２】
前記Ｔ型支え片は、直線部および横線部を有し、前記直線部は前記前区切り柱および前記後区切り柱の前記貫通孔に差し込まれ、前記横線部は前記前区切り柱および前記後区切り柱の側面と密切に接触し、前記直線部と前記横線部は前記横定位板の前記ねじ孔と対応可能なねじ孔を有し、ねじにより前記Ｔ型支え片と前記横定位板とを前記横定位板に固定可能であることを特徴とする請求項１記載のキャビネット。
【請求項３】
前記外殻の前記前支え柱の内側面に上下方向に等間隔に形成される複数のかけ孔を有し、前記外殻の前記後支え柱は内側面の前端に一列上下方向に等間隔の複数の挿し孔を有し、前記前区切り柱は両側面に前記前支え柱の前記かけ孔と対応する複数の挿し孔を有し、前記後区切り柱は両側面に前記後支え柱の前記挿し孔と対応する複数の挿し孔を有することを特徴とする請求項１記載のキャビネット。
【考案の詳細な説明】
【技術分野】
【０００１】
本考案は内部空間の区切りを色々に調整可能なキャビネットに関する。
【背景技術】
【０００２】
従来の文具式キャビネットは、簡単な箱型の外殻の中の空間を区切り片や柱で適当に区切りする。そして、各区切り空間に引き出しを付けて、色々な文具又は物品を貯蔵できる様にしている。
【考案の概要】
【考案が解決しようとする課題】
【０００３】
ところで、各区切り空間は固定され、文具や物品のサイズによって調整できない欠点がある。
本考案は、内部空間を調整可能なキャビネットを提供する。
【課題を解決するための手段】
【０００４】
本考案は、文具式キャビネットの内部空間を色々に調整できる様にする為に、箱型外殻の左右側の前後に相互に対応する二本の前支え柱と二本の後支え柱を設置する。両前支え柱と両後支え柱とは上下方向に等間隔に形成される複数のかけ孔および挿し孔を有する。四本の横定位板を設け、二本は外殻の上側壁の底面の前後に設置され、別の二本は外殻の底側壁の表面の前後に設置される。上側の横定位板は下側の横定位板と対応する。横定位板は所定距離をへだてて形成される複数のはめ溝を有する。各はめ溝の両側にねじ孔を有し、横定位板は前支え柱と後支え柱と対応している。更に、複数の前区切り柱および複数の後区切り柱を設け、前区切り柱と後区切り柱の下端に貫通孔を横定位板と同じ方向に形成する。前区切り柱と後区切り柱は、上下方向に等間隔形成される挿し孔を有する。前区切り柱および後区切り柱は、上端および下端が上下の二横定位板のはめ溝の中に差込置かれた後、Ｔ型支え片を前区切り柱および後区切り柱の下端の貫通孔の中にさし込むことで固定させる。Ｔ型支え片は、二つのねじ孔を有し、前区切り柱および後区切り柱の貫通孔に挿入された後、二本のねじにより上下側の横定位板に螺着され、前区切り柱および後区切り柱を四本の横定位板に固定する。
【０００５】
複数の前区切り柱および後区切り柱は、前後に対向して、横定位板のはめ溝により位置決められる、
【０００６】
区切り柱の間隔を変更する時、横定位板にねじ込まれているねじをはずし、Ｔ型支え片を各区切り柱の下端の貫通孔から引き出す。Ｔ型支え片を各区切り柱から引き出せば、各区切り柱の下端を容易に横定位板のはめ溝から引き抜き出せるので前後区切り柱をはめ溝からはずしてから、各区切り柱を所要の間隔に調整することができる。横定位板の所用のはめ溝にその下端をはめておく、各区切り柱の下端の貫通孔にＴ型支え片をさしこんで各区切り柱を下横定位板に固定する。
【０００７】
本考案の複数の前区切り柱および後区切り柱の上端および下端を上横定位板および下横定位板の複数のはめ溝の中に嵌め、下端がＴ型支え片により下側の横定位板に固定し、前区切り柱および後区切り柱が所定間隔に離れている状態にする。Ｔ型支え片を各区切り柱の下端から引きはずして、各区切り柱を各横定位板の別のはめ溝にはめ付けて、Ｔ型支え片により下横定位板に固定すれば、前区切り柱と後区切り柱との間隔ならびに前支え柱および前区切り柱と後支え柱および後区切り柱との間隔とが変更する。それで本考案のキャビネットの内部の空間の区切り間隔を簡単に調整することができる。
【０００８】
本考案は、四本の横定位板と複数の前区切り柱および後区切り柱の設置により、前区切り柱と後区切り柱の位置を異なる位置に調整することができ、キャビネットの引き出しを収納できる空間の幅を変更することができる。
【図面の簡単な説明】
【０００９】
【図１】本考案の一実施形態によるキャビネットの分解斜視図。
【図２】本考案の一実施形態によるキャビネットの斜視図。
【図３】本考案の一実施形態によるキャビネットの要部拡大図。
【図４】本考案の一実施形態によるキャビネットの応用例を示す模式図。
【図５】本考案の一実施形態によるキャビネットの応用例を示す模式図。
【考案を実施するための形態】
【００１０】
本考案の一実施形態によるキャビネットは図１および図２が示すように外殻１と四本の横定位板２と、複数の前区切り柱３と複数の後区切り柱４と、複数のＴ型支え片５と引き出しを支える複数の滑りレール６とを備える。
【００１１】
外殻１は、その前側が開いてる箱型に形成され、その左右側壁の前後に相対する二前支え柱１１と二後支え柱が設置され、二つの前支え柱１１はその内側面に上下方向に等間隔に形成される複数のかけ孔１２を有する。二つの後支え柱は、複数の挿し孔１４を有する。前支え柱１１の複数のかけ孔１２と後支え柱１３の複数の挿し孔１４は対向している。キャビネット１の複数の引き出しを支える複数の滑りレール６を設け、それらのかけ孔１２と挿し孔１４とは、前後区切り柱３，４の挿し孔３２，３４とで引き出しを支える滑りレール６に連結される。
【００１２】
四本の横定位板２は断面が中空矩形の長い板状に形成され、二本の上横定位板２と二本の下横定位板２とを含み、前横定位板２は外殻１の上側壁の底面に平行に設けられ、下横定位板２は外殻の下側壁の表面に平行に設けられる。横定位板２は複数のはめ溝２１が所定間隔離れて形成される。はめ溝２１は、区切り柱３，４の下端を収容する。はめ溝２１の両側にはねじ孔２２を有する。
【００１３】
前区切り柱３は断面が中空矩形にして、その上下端は各上下横定位板２の相対するはめ溝２１の中にはまつて定位され、又その両側面は前支え柱１２の内側面と相対し、その下端は下横定位板２の方向と同じ方向の貫通孔３１をあけて置く。更にその両側面に一列上下に等間隔の複数の挿し孔３２をあけて、これらの挿し孔３２は前支え柱１１のかけ孔１２と別の前区切り柱３の挿し孔３２と左右相対する。滑りレール６は、かけ突起６１が挿し孔３２にひっかかることで固定される。
【００１４】
後区切り柱４は断面が中空矩形であり、上下端が横定位板２の相対するはめ溝２１にはめこまれる。後区切り柱４の両側面は後支え柱１３の内側面と左右に対向し、下端に下横定位板２の方向に形成される貫通孔４１を有する。後区切り柱４の両側面は上下方向に等間隔に形成される複数の挿し孔４２を有する。挿し孔４２は、後支え柱１３の挿し孔４２および後区切り柱４の挿し孔４２と左右対向し、滑りレール６が固定されている。
【００１５】
Ｔ形支え片５は直線部５１および横線部５２で構成され、直線部５１は前区切り柱３と後区切り柱４の下端の貫通孔３１，４１に差し込まれる、更に直線部５１と横線部５１にねじ孔５３を有し、ねじ孔５３は横定位板２のねじ孔２２と対応する。ねじによりＴ型支え片５を横定位板２に固定することで、前区切り柱３と後区切り柱４とを横定位板２に固定する。
【００１６】
本実施形態のキャビネットを組み付ける時は、図２および図３に示すように、前支え柱１１と後支え柱１３を外殻１の左右側壁の所定の位置に固定し、二つの上側の横定位板２を上側壁の内面の所定の位置に固定する。そして、二つの下側の横定位板２を下側壁の内面の所定の位置に固定し、左右の前支え柱１１が対向し、左右の後支え柱１３が対向する。そして、上下の二つの横定位板２も対向する状態になる。
【００１７】
複数の前区切り柱３と後区切り柱４が所定間隔離れるよう、縦に上下に相対する二つの横定位板２の間に、上端を上側の横定位板２の所定のはめ溝２１に差し込み、下端を下側の横定位板２の所定のはめ溝２１にはめこむ。前区切り柱３と後区切り片４の貫通孔３１，４１は各横定位板２の上表面に対向する。Ｔ型支え片５の直線部５１を貫通孔３１，４１に差し込んで横線部５２は前区切り柱３および後区切り柱４の側面に密切に接触する。Ｔ型支え片５のねじ孔５３は横定位板２のねじ孔２２と対応する。ねじにより両方のねじ孔をしめ付ければ、前区切り柱３および後区切り柱４は所定の間隔で横定位板２に固定される。前区切り柱３と後区切り柱４のかけ孔３２と挿し孔４２はそれぞれ前支え柱１１と後支え柱１３のかけ孔１２と挿し孔１４とに対応する。滑りレール６を高さに応じて必要の箇所に設置することができる。隣接する二本の前区切り柱３および後区切り柱４の位置は横定位板２のはめ溝２１に応じて調整可能である。よって、各種の異なるサイズの物品を分類貯蔵できる引き出しを設けることができる。
【符号の説明】
【００１８】
１・・・外殻、
２・・・横定位板、
３・・・前区切り柱、
４・・・後区切り柱、
５・・・Ｔ型支え片、
６・・・滑りレール、
１１・・・前支え柱、
１２・・・かけ孔、
１３・・・後支え柱、
１４・・・挿し孔、
２１・・・はめ溝、
２２・・・ねじ孔、
３１・・・貫通孔、
３２・・・挿し孔、
４１・・・貫通孔、
４２・・・挿し孔、
５１・・・直線部、
５２・・・横線部、
６１・・・かけ突起、
６２・・・さし突起。
【図１】
0003176360.tif 000003
【図２】
0003176360.tif 000004
【図３】
0003176360.tif 000005
【図４】
0003176360.tif 000006
【図５】
0003176360.tif 000007